(57)【要約】      （修正有）【課題】バイオリンとビオラのための左手の指の広がりの角度拡張器である。今までは先天的な手の大きさ形の中で楽曲を弾くという考え方であったが手の小さい人や固い人でも無理ないトレーニングにより技術向上できるように提供する。【解決手段】各スライド板の指仕切り１３を任意の角度、幅に合わせ、それを本体レール３に差込、その下をスムーズに走ることができるようにし、その中に左指を入れトレーニングできるようにする。【選択図】図１
2007079520.tif 000002
【特許請求の範囲】
【請求項１】
使用者が指仕切りを任意の角度や幅に調節した各スライド板の中に左指を入れ、任意の指の形のまま、手の訓練ができるようにしたことを特徴とする指の広がりの角度拡張、ストレッチ器。
【請求項２】
任意の指の形のまま１箇所に留まっているのではなく、あらゆる場所に手を持ってゆき、様々な筋肉のストレッチができることを特徴とする、指の広がりの角度拡張、ストレッチ器。
【発明の詳細な説明】
【技術分野】
【０００１】本発明はバイオリン及びビオラの演奏に関するものである。
【背景技術】
【０００２】今まで、指の角度拡張器は鍵盤楽器のための物しかなく又、手を静止した状態のみの訓練で終わっていた。
【発明が解決しようとする課題】
【０００４】  改善は、バイオリン及びビオラの演奏時の手の形のまま、指の広がりの角度拡張ができ、又様々な方向に自由に動かすことができるものである。
【課題を解決する手段】
【０００５】レールを張るなどして、ハイポジションからロウポジションへ、自由にスライドできる本体（１）（１９）に各スライド版のいずれかを取り付け、〔図１７〕のように、人差し指、中指、薬指、小指をセットし、〔図１８〕のように、バイオリンの構える姿勢で手をレールに沿ってスライドさせる。
【発明の効果】
【０００６】バイオリン演奏時の手や指の形状で、いかに指が広がるか〔図１５〕、叉複雑な指の並び〔図１６〕をいかに素早く指板上に作ることができるかが楽曲演奏の優劣を大きく左右するが、本発明は、指を指板に添う形で無理なく少しずつ広げることができ又、演奏時の指の複雑な並びのための指のストレッチにも有効である。１２度など特別手の大きい人でないと弾けないとされている音程も、繰り返し訓練することにより、可能性は生まれる。また、ハーフポジションなど、指の各関節の柔軟さが求められるポジションにも対応できる。又、指を極端に縮ませるパーツ、例えば、人差し指がＧ線、中指がＥ線、薬指がＤ線〔図１６〕参照、にも指仕切り（１３）の幅や角度の調整された各スライド板（４）（１６）の中で人差し指と薬指を伸ばし、中指を屈折させることにより、対応できる指や手の形状が可能になる。又、繰り返し訓練する事により各指を指板の上に任意の角度で置くことが可能になり、自由に指を指板の上を走らせることが可能になる。
バイオリンを始めるのは３，４歳が理想、遅くとも１０才までと言われている大きな理由は、指や手の関節の柔軟性が特に求められるからである。本発明は、上記の効果から適齢期を過ぎてから始める人に上達の可能性を与えるものである。
【発明を実施するための最良の形態】
【０００７】本発明は、本体Ａと各スライド板のいずれか１つずつからなる。
本体Ａは〔図５〕のようにバイオリン本来の形より、点Ｃ，Ｄから糸巻きの方向に向かって延長した形に、レール（３）を張ったものである。〔図４〕参照
スライド板は、ビブラート方向スライド板、ポジションチェンジ方向スライド板を指す。各スライド板共通部（２３）は、縦板（７）に幅調節穴（１２）を縦に２列設け、指仕切り（１３）の角度、幅の両調節ができるように、指仕切りのなべ子ネジ用穴を楕円形にし、なべ子ネジ等で２箇所任意の角度、幅で固定する。〔図８〕参照。各スライド板共通部に〔図８〕のように、底板（１７）を付け裏にレールＤ（１１）を付けたものをポジションチェンジ方向スライド板と呼び、ポジションチェンジ方向スライド板からレールＤを取り除きレールＣ（１０）を取り付け〔図６，７〕のようにビブラート方向スライド板下部と噛み合わせた物をビブラート方向スライド板と呼ぶ。
尚、レールとは、〔図１９〕であり、それを複数個並べる〔図２０〕。噛み合わせ方は、〔図２１〕である。
イ）  本体Ａにビブラート方向スライド板を、噛み合わせる。レールＢと本体レールの組み合わせにより、ビブラート方向スライド板下部を任意のポジションに設定でき、レールＡ、レールＣにより、ビブラート方向〔図１４〕に手を動かすことができる。
ロ）  本体Ａにポジションチェンジ方向スライド板を組み合わせる。ポジションチェンジの方向〔図１３〕に手を動かすことができる。
〔図１８〕が、本発明使用時の上から見た図である。
【実施例１】
【０００８】本体Ａの応用例として、本体Ａより点Ａ、点Ｂ、点Ｅを結ぶ線に沿って切り取った形〔図５〕参照、の点Ｂ，点Ｅ側にレールを張った板を垂直に取り付けた本俸Ｂを提供する。〔図２２，２３、２４〕  各スライド板共通部の裏の上下にレールを取り付け〔図２５〕、本体Ｂと噛み合わせ、指の形を見ながら訓練する。
【実施例２】
【０００９】  本体Ｂに回転スライド板（１８）を取り付ける。回転スライド板とは、レール、回転盤（２１）、円形板（２２）、回転盤、各スライド共通部を下から重ねたものである。〔図２７，２８，２９〕参照。
【実施例３】
【００１０】  各スライド板共通部の裏にレールを張る。〔図２５〕  別の板の表にレールを張り、裏に滑り止めを張り〔図３０〕携帯板を作り、携帯用とする。
【実施例４】
【００１１】就寝時の姿勢で指の訓練ができる、指の角度拡張器〔図３１〕参照
【実施例５】
【００１２】指の角度拡張器をすべて、プラスチックなど耐水性のある素材で作り、入浴時に訓練できるようにする。
【実施例６】
【００１３】幼児用に、子供が好む図柄を書くなど、使い勝手が悪くならない範囲でデザインそのものを、玩具の様にする。〔図３２〕参照
【産業上の利用可能性】
【００１４】少子化が進み、十分な人数の生徒を確保が難しくなりつつある今、中高年や、お年寄りが楽器を楽しまれることが多くなってきた。その人たちの大きな問題が、指が開かない、関節が硬いといった身体的問題である。これから、十分な生徒数の確保する為にも、本発明は有効である。又、子供にバイオリンを習わせようか迷っている方、全くバイオリンをさせる事を考えてない人に、玩具の感覚でデザインした練習器具を見て、興味をもってもらうことができる。
【図面の簡単な説明】
【００１５】
【図１】本体Ａにビブラート方向スライド板（４）を取り付けたときの断面図。
【図２】本体Ａにビブラート方向スライド板（４）を取り付けたときの横図。
【図３】本体Ａの表。
【図４】本体Ａの裏。
【図５】本体Ａ、本体Ｂの形の説明。
【図６】ビブラート方向スライド板（４）の断面図。
【図７】ビブラート方向スライド板（４）の裏。
【図８】ポジションチェンジ方向スライド板（１６）の断面図。
【図９】ポジションチェンジ方向スライド板（１６）の裏。
【図１０】指仕切り（１３）
【図１１】指仕切り（１３）のなべ小ネジ（５）部分の断面図。
【図１２】各スライド板共通部の裏。
【図１３】演奏時のポジションチェンジ方向。
【図１４】演奏時のビブラートの方向。
【図１５】演奏時の手と指の形状。
【図１６】演奏時の複雑な指の形状例。
【図１７】本体Ａ（１）の指しきり（１３）に指を入れた図。
【図１８】本体Ａ（１）使用時、上から見た図。
【図１９】レールの単独の形。（３）（８）（９）（１０）（１１）。
【図２０】〔図１９〕を複数並べた図。
【図２１】〔図２０〕の噛み合せ方。
【図２２】本体Ｂの裏返した断面図
【図２３】本体Ｂの表
【図２４】本体Ｂの表向きの断面図
【図２５】各スライド板共通部の裏の上下にレールを張った図
【図２６】本体Ｂに回転スライド板をつけた図
【図２７】回転スライド板の構成
【図２８】回転スライド板の横図
【図２９】回転スライド板の上からの図
【図３０】携帯板の滑り止めを張った面。レールを張った面。
【図３１】寝具に取り付けた図
【図３２】幼児用にデザインした１例
【符号の説明】
【００１５】（１）本体Ａ  （２）裏板  （３）本体レール  （４）ビブラート方向スライド板
（５）なべ子ネジ  （６）なべ小ネジ用穴  （７）縦板  （８）レールＡ
（９）レールＢ  （１０）レールＣ  （１１）レールＤ  （１２）幅調節穴
（１３）指仕切り    （１４）もち手  （１５）ビブラート方向スライド板下部
（１６）ポジションチェンジ方向スライド板  （１７）底板  （１８）回転スライド板
（１９）本体Ｂ  （２０）すべり止め  （２１）回転盤  （２２）円形板
（２３）各スライド板共通部  （２４）携帯板
【図１】
2007079520.tif 000003
【図２】
2007079520.tif 000004
【図３】
2007079520.tif 000005
【図４】
2007079520.tif 000006
【図５】
2007079520.tif 000007
【図６】
2007079520.tif 000008
【図７】
2007079520.tif 000009
【図８】
2007079520.tif 000010
【図９】
2007079520.tif 000011
【図１０】
2007079520.tif 000012
【図１１】
2007079520.tif 000013
【図１２】
2007079520.tif 000014
【図１３】
2007079520.tif 000015
【図１４】
2007079520.tif 000016
【図１５】
2007079520.tif 000017
【図１６】
2007079520.tif 000018
【図１７】
2007079520.tif 000019
【図１８】
2007079520.tif 000020
【図１９】
2007079520.tif 000021
【図２０】
2007079520.tif 000022
【図２１】
2007079520.tif 000023
【図２２】
2007079520.tif 000024
【図２３】
2007079520.tif 000025
【図２４】
2007079520.tif 000026
【図２５】
2007079520.tif 000027
【図２６】
2007079520.tif 000028
【図２７】
2007079520.tif 000029
【図２８】
2007079520.tif 000030
【図２９】
2007079520.tif 000031
【図３０】
2007079520.tif 000032
【図３１】
2007079520.tif 000033
【図３２】
2007079520.tif 000034